(57)【特許請求の範囲】
【請求項１】
吊り下げ用支持フレームに、網状のチェーンを吊り下げ、前記網状のチェーンは、４つの三角形の網の目を備えると共に、該三角形の頂点のうち一点が夫々一致する連結点を備え、前記連結点を引くことにより網の目の大きさが絞り込まれることを特徴とするブロック移設装置。
【請求項２】
請求項１に記載のブロック移設装置において、埋没したブロックの周囲の土砂、ゴミを除去するための水噴出管を設けたことを特徴とするブロック移設装置。
【発明の詳細な説明】
【０００１】
【産業上の利用分野】
本発明は、主として港湾、海岸等の水際に据付けられた消波ブロック（異形ブロック）や、水中の構造物を固定するために設置される立方体、直方体の形状をした方塊ブロック等を、撤去したり、又は新しく据付けたりする作業を、安全かつ効率よく行うために使用されるブロック移設装置に関する。
【０００２】
【従来の技術】
本邦のように狭い島国においては、海岸の浸食を防止したり、防波堤等の構造物に波が直撃しないよう、あるいは構造物を固定するために種々の異形状、あるいは、立方体、直方体形状に成形されたコンクリート製のブロックが多数据付けられている。  そして、ウォーターフロント等の再開発や港湾施設の拡張工事、あるいは構造物の移設に際しては、これらのブロックの撤去や設置が行われる。また、長年の経過により水中に埋設してしまったブロックも新たな構造物の構築の障害となる場合は掘り起こして撤去することが行われている。
【０００３】
しかしながら、従来のブロックの撤去や敷設等の移設作業では、ブロックの周辺に作業員が近づいてロープを玉掛けし、それをクレーン等で吊り揚げるようにしている。そのため、作業員がロープに挟まれたり、ブロックの落下による災害の危険を伴うため、作業効率が悪いという問題があった。
また、例えば、特許公開広報「特開平07-259052」においては、消波ブロック移設装置が記載されているが、モーター等の駆動部を有し装置が重くなり、そのため、大きな能力の起重機船を必要とすることや、埋没したブロックに対しては対応できない等の課題がある。
【０００４】
【発明が解決しようとする課題】
本発明の目的は、ブロックの移設作業を簡単、安全に行うことができ、かつ装置本体にモーター等の駆動部を設けずに重量を軽量化させ、さらに埋没したブロックも撤去できる移設装置を提供することにある。
【０００５】
【課題を解決するための手段】
上記課題を解決するため、請求項１に記載したブロック移設装置は、吊り下げ用支持フレームに、網状のチェーンを吊り下げ、前記網状のチェーンは、４つの三角形の網の目を備えると共に、該三角形の頂点のうち一点が夫々一致する連結点を備え、前記連結点を引くことにより網の目の大きさが絞り込まれることを特徴とする。
【０００７】
また、請求項２に記載したブロック移設装置は、前記ブロック移設装置において、埋没したブロックの周囲の土砂、ゴミを除去するための水噴出管を設けたことを特徴とする。
【０００８】
【発明の実施の形態例】
以下、本発明の実施の形態として一実施例を図面を参照しながら説明する。
【０００９】
（１）第１実施形態
図１は、本発明の第１実施形態であるブロック移設装置の構成を示したものである。この装置本体１Ａは、支持フレーム吊りワイヤー６及び装置吊りワイヤー７によって、起重機船１５の前方に吊り下げられ、港湾等において消波ブロックの撤去や移設又は据付けに使用される。なお、装置本体１Ａは、吊り下げ用支持フレーム４に装置吊りワイヤー７及びチェーン吊り材５ａを用いて網状チェーン２を吊り下げる構成となっている。
チェーン引き込み管８は、吊り下げ用支持フレーム４と一体となっている。
【００１０】
なお、本図においては、網状チェーン２の一例として、三角形の４つの目をもつ形状を示している。網状チェーン２は連結点２ａにおいて、装置吊りワイヤー７とつながり、装置吊りワイヤー７は、チェーン引き込み管８を通り、起重機船１５より巻き上げられる構造となっている。
【００１１】
チェーン吊り材５ａは、柔軟性をもった管状の部材で、給水ホースの機能も有しており、その下端は高圧水噴出口９となっている。高圧水は、起重機船１５より、給水ホース（図示せず）で供給され、給水ホース（図示せず）は、装置吊りワイヤー７および吊り下げ用支持フレーム４に沿って設けられ、チェーン吊り材５ａにつながっている。
【００１２】
次にブロック移設手順について説明する。
先ず、  起重機船１５を操作して、装置本体１Ａを移設しようとする消波ブロック１０の上に位置させる。起重機船での操作を誘導する方法としては、潜水士（図示せず）が誘導、指示する方法や、チェーン吊り材４にＴＶカメラ（図示せず）を設けその映像を見ながら起重機船１５の操作者が操作する方法がある。
【００１３】
装置本体１Ａが消波ブロック１０の上に位置したら、支持フレーム吊りワイヤー６及び装置吊りワイヤー７を起重機船１５より一緒に繰り出してチェーン引き込み管８の下端が消波ブロックに触れる手前まで装置本体１Ａを降ろしていく。
このとき網状チェーン２は自重により消波ブロック１０に覆いかぶさる状態となる。消波ブロック１０は通常、周囲の消波ブロック群１１と噛み合わさった状態で設置されているが、噛み合わさった隙間に網状チェーン２は自重により、消波ブロック１０の表面に沿いながら入り込んでいく。そして、網状チェーン２に引きずられて、網状チェーン２につながれたチェーン吊り材５ａも噛み合わせの隙間に入り込んでいく。
【００１４】
消波ブロック１０と周囲の消波ブロック群１１の隙間にゴミがある場合や埋没して土砂がたまっている場合は、起重機船１５より高圧水を高圧水ホース（図示せず）及びチェーン吊り材５ａを経由して高圧水噴出口９より噴出させてゴミ・土砂１３を除去する。
【００１５】
網状チェーン２の端部が消波ブロック１０の脚より下の位置まで達したら、装置吊りワイヤー７だけを引き上げる。そうすると吊り下げ用支持フレームは引き上げられないので、網状チェーン２は、連結点２ａよりチェーン引き込み管８の管内に引き込まれながら吊り上げられていく。チェーン２が引き込み管８の内部に引き込まれるにつれて各網の目は絞り込まれて小さくなり、消波ブロック１０の脚にしっかりからみつく状態となる。
さらに装置吊りワイヤー７を引き上げていくと、からんだ網の目は緩みなく脚にからまり、網の目はそれ以上縮まらない状況となる。そして網状チェーン２が消波ブロック１０を抱えた状態で、装置本体１Ａも合わせて引き上がることになる。
【００１６】
図２は消波ブロック１０を抱え込んで吊り上げている状態の図である。
このように網の目が消波ブロック１０の４本の脚の２本以上の脚にからむか、あるいは１つの網の目が２つの脚をまとめてからめる状況になれば、安定した状態で消波ブロック１０を引き上げることができる。
【００１７】
そして、起重機船１５を操作して、ブロックを設置したい場所まで運び、支持フレーム吊りワイヤー６だけを巻き上げれば、チェーン引き込み管８が引き上がることにより、網の目はゆるんで大きくなり、消波ブロックを開放する状態となる。
【００１８】
（２）第２実施形態
図３は、本発明の第２実施形態であるブロック移設装置の構成を示したものである。この装置本体１Ｂは、装置吊りワイヤー７を介して、起重機船１５の前方に吊り下げられ、方塊ブロック１２の撤去や移設又は据付けに使用される。装置本体１Ｂは、吊り下げ用支持フレーム４の内側に網状袋３を有する構造となっている。
【００１９】
網状袋３はワイヤー、チェーン等の柔軟性を有し、引っ張り強度が大きい部材から成っている。なお、網状袋３に汚濁防止用の幕（図示せず）を被せることによって、海底に埋没したブロック引き上げ時の汚濁発生を抑制する機能が付加される。網状袋３は、吊り下げ用支持フレーム４と供に装置吊りワイヤー７で起重機船１５から吊り下げられている。網状袋３はチェーン留め器具５ｂによって吊り下げ用支持フレーム４に留められ、膨らんだ形状を保持している。
【００２０】
網状袋４の下部の口は、口絞りワイヤー５ｃで絞り込める構造となっており、口絞りワイヤー５ｃは、吊り下げ支持フレーム４および装置吊りワイヤー７に沿った形で起重機船１５までつながり、起重機船１５から引き絞る事が出来るような構造となっている。
【００２１】
吊り下げ用支持フレーム４は管状の部材で、給水管としての機能も有しており、その脚部４ｂの下端は高圧水噴出口９となっている。高圧水は、起重機船１５より、給水ホース（図示せず）で供給され、給水ホース（図示せず）は装置吊りワイヤー７に沿って設けられ、吊り下げ用支持フレーム４につながっている。
【００２２】
次に埋設した方塊ブロック１２の撤去手順を示す
▲１▼チェーン留め器具５ｂによって網状袋３が、吊り下げ用支持フレーム４に膨らんだ形で吊り下げられた状態で、装置本体１Ｂを起重機船１５から吊り降ろし、埋没した方塊ブロック１２にかぶさるように海底に着底させる。
【００２３】
▲２▼高圧水噴出口９より高圧水を噴出させ周囲の海底１４の土砂を除去して、装置本体１Ｂがブロックを包み込む状態になるまで沈下させる。
【００２４】
▲３▼チェーン留め器具５ｂを開放させる操作をして、網状袋３を吊り下げ用支持フレーム４から外す。
【００２５】
▲４▼口絞りワイヤー５ｃを絞り込み、網状袋３の中に方塊ブロック１２を包み込んだ状態にして拘束する。
【００２６】
▲５▼装置吊りワイヤー７を巻き上げて、方塊ブロック１２を包み込んだ装置本体１Ｂを引き上げる。
【００２７】
【発明の効果】
以上説明したように本発明によれば、
【００２８】
▲１▼消波ブロックに対しては、チェーンの柔軟な構造により消波ブロック間の隙間にチェー滑り込み、チェーンを引き上げることによって、ブロックの突起した脚の部分にチェーンの網の目が引っかかり、さらにチェーンを引き上げることに網の目が絞り込まれて小さくなり消波ブロックを確実に保持できる。
方塊ブロックに対しては、網状袋の下部の口から袋の中に方塊ブロックを取り込み、その後、口を絞り込むことにより、確実に保持できる。
【００２９】
▲２▼従来のような、潜水士がワイヤー掛けする作業が不要となるので、作業の安全性および
作業効率の向上が図れる。
【００３０】
▲３▼装置の操作はワイヤーの引き上げおよび水の供給等の簡易な操作だけなので、装置の構成や取り扱いも簡易なものとなる。
【００３１】
▲４▼装置は駆動力部は有さないので軽量となり、そのために大きな起重機船を必要とはせず、経済的となる。
【００３２】
▲５▼埋没したブロックや、ブロックの隙間に土砂・ごみがある場合でも、高圧水を噴射して除去することにより移設が可能となる。
【図面の簡単な説明】
【図１】本発明の第１実施形態であるブロック移設装置の構成を示す概念図
【図２】本発明の第１実施形態であるブロック移設装置が消波ブロックを吊り上げている概念図
【図３】本発明の第２実施形態であるブロック移設装置の構成を示す概念図
【図４】本発明の第２実施形態であるブロック移設装置が方塊ブロックを吊り上げている正面からの概念図
【符号の説明】
１Ａ〜１Ｂ  装置本体
２        網状チェーン
３        網状袋
４        吊り下げ用支持フレーム
４ｂ      脚部
５ａ      チェーン吊り材
５ｂ      チェーン留め器具
５ｃ      口絞りワイヤー
６        支持フレーム吊りワイヤー
７        装置吊りワイヤー
８        チェーン引き込み管
９        高圧水噴出口
１０        消波ブロック
１１        消波ブロック群
１２        方塊ブロック
１３        土砂・ゴミ
１４        海底
１５        起重機船
【図１】
0004500986.tif 000002
【図２】
0004500986.tif 000003
【図３】
0004500986.tif 000004
【図４】
0004500986.tif 000005